【手続補正書】
【提出日】平成15年6月20日(2003.6.20)
【手続補正１】
【補正対象書類名】明細書
【補正対象項目名】特許請求の範囲
【補正方法】変更
【補正の内容】
【特許請求の範囲】
【請求項１】
遠距離通信ネットワークのセルの中で干渉分析を行うための方法であって：
任意の指定されたセルと複数の隣接セルに対して、複数のトラヒック／障害事象相関を前記侵害隣接セル内の呼活動と前記指定されたセル内の障害活動の関数として計算し；
ランダム整合の結果発生する誤事象相関の確率を定量化するための推定アルゴリズムを定義し、該アルゴリズムは各々の侵害セルのチャンネルの時間の関数としての利用状況と、各受障害セルの障害事象の時間の関数としての件数とを乗算する、前記推定アルゴリズムと；
誤事象相関の確率を用いて、１つまたは複数の侵害セル内の呼活動が前記指定されたセル内の干渉の原因であると確認する、以上のステップを含む、前記方法。
【請求項２】
請求項１記載の方法において、前記乗算ステップに続いて、各々の侵害セルのチャンネルの時間の関数としての利用状況と、各受障害セルの障害事象の時間の関数としての件数との積を全ての侵害−受障害チャンネル対と侵害−受障害セルの組み合わせに対して、全時間に渡り合計するステップを含む、前記方法。
【請求項３】
請求項２記載の方法において、前記合計ステップに続いて、侵害セルの利用状況と受障害セルのチャンネル上での障害件数との積の全時間にわたる合計に比例する、ランダム整合発生の平均比率を定義するステップを含む、前記方法。
【請求項４】
請求項３記載の方法において、前記定義ステップが更に２つの量の平均比率を大量のデータに関して合計し、結果として２０よりも大きな値となるランダム整合の発生定数を生成するステップを含む、前記方法。
【請求項５】
請求項４記載の方法において、前記合計ステップに続いて、任意の侵害−受障害セルの関係に対して、侵害セルの利用状況と受障害セルのチャンネル上での障害件数との積の全時間にわたる合計に比例する、ランダム整合発生の平均比率と、時間の関数としての各侵害セルのチャンネルの利用状況と時間の関数としての各受障害セルのチャンネル上での障害事象の件数を、全ての侵害−受障害チャンネル対と侵害−受障害セル組み合わせに対して、全時間に渡って合計した値とを乗算することによりランダム整合の平均件数を計算するステップを含む、前記方法。
【請求項６】
請求項５記載の方法において、前記計算ステップに続いて、ランダム整合の平均件数とランダム整合の件数との間の差の確率を計算するステップを含む、前記方法。
【請求項７】
請求項６記載の方法において、前記計算ステップが更に、平均値からの差のパーセンテージをｘ軸に、そして累積分布関数のパーセンテージをｙ軸にプロットし、平均値からのパーセンテージ差の累積分布関数を生成するステップを含む、前記方法。
【請求項８】
請求項１記載の方法において、前記使用するステップが更に、パーセンテージ確信レベルを比較して、干渉関係が真であるか否かを判定する判定閾値を用いて、侵害セルを真の干渉セルと確定するステップを含む、前記方法。
【請求項９】
遠距離通信ネットワークのセルの中で干渉分析を行うためのシステムであって：
任意の指定されたセルと複数の隣接セルに対して、複数のトラヒック／障害事象相関を前記侵害隣接セル内の呼活動と前記指定されたセル内の障害活動の関数として計算するための手段と；
ランダム整合の結果発生する誤事象相関の確率を定量化するための推定アルゴリズムで、該アルゴリズムは、各々の侵害セルのチャンネルの時間の関数としての利用状況と、各受障害セルの障害事象の時間の関数としての件数とを乗算する、前記推定アルゴリズムと；
誤事象相関の確率を用いて、１つまたは複数の侵害セル内の呼活動が前記指定されたセル内の干渉の原因であると確認するための手段、とを含む、前記システム。
【請求項１０】
請求項９記載の方法において、前記乗算するための手段が更に、各々の侵害セルのチャンネルの時間の関数としての利用状況と、各受障害セルの障害事象の時間の関数としての件数との積を全ての侵害−受障害チャンネル対と侵害−受障害セルの組み合わせに対して、全時間に渡り合計するための手段とを含む、前記システム。
【請求項１１】
請求項１０記載のシステムにおいて、前記合計するための手段が更に、侵害セルの利用状況と受障害セルのチャンネル上での障害件数との積の全時間にわたる合計に比例する、ランダム整合発生の平均比率を定義するための手段を含む、前記システム。
【請求項１２】
請求項１１記載のシステムにおいて、前記定義するための手段が更に２つの量の平均比率を大量のデータに関して合計し、結果として２０よりも大きな値となるランダム整合の発生定数を生成する手段を含む、前記システム。
【請求項１３】
請求項１２記載のシステムにおいて、前記合計するための手段が更に、任意の侵害−受障害セルの関係に対して、侵害セルの利用状況と受障害セルのチャンネル上での障害件数との積の全時間にわたる合計に比例する、ランダム整合発生の平均比率と、時間の関数としての各侵害セルのチャンネルの利用状況と時間の関数としての各受障害セルのチャンネル上での障害事象の件数を、全ての侵害−受障害チャンネル対と侵害−受障害セル組み合わせに対して、全時間に渡って合計した値とを乗算することによりランダム整合の平均件数を計算するための手段を含む、前記システム。
【請求項１４】
請求項１３記載のシステムにおいて、前記計算するための手段が更に、ランダム整合の平均件数とランダム整合の件数との間の差の確率を計算するための手段を含む、前記システム。
【請求項１５】
請求項１４記載のシステムにおいて、前記計算するための手段が更に、平均値からの差のパーセンテージをｘ軸に、そして累積分布関数のパーセンテージをｙ軸にプロットし、平均値からのパーセンテージ差の累積分布関数を生成する手段を含む、前記システム。
【請求項１６】
請求項９記載のシステムにおいて、前記使用するための手段が更に、パーセンテージ確信レベルを比較して、干渉関係が真であるか否かを判定する判定閾値を用いて、侵害セルを真の干渉セルと確定する手段を含む、前記システム。
【請求項１７】
遠距離通信ネットワークにおいて、該ネットワークのセルの中で干渉分析を行うためのプログラム製品であって：
任意の指定されたセルと複数の隣接セルに対して、複数のトラヒック／障害事象相関を前記侵害隣接セル内の呼活動と前記指定されたセル内の障害活動の関数として計算するための、コンピュータに駐在する命令手段と；
ランダム整合の結果発生する誤事象相関の確率を定量化するための、推定アルゴリズムを定義するためのコンピュータに駐在する命令手段で、前記推定アルゴリズムは、各々の侵害セルのチャンネルの時間の関数としての利用状況と、各受障害セルの障害事象の時間の関数としての件数とを乗算する、前記命令手段と；
誤事象相関の確率を用いて、１つまたは複数の侵害セル内の呼活動が前記指定されたセル内の干渉の原因であると確認するためのコンピュータに駐在する命令手段、とを含む、前記プログラム製品。
【請求項１８】
請求項１７記載の方法において、前記アルゴリズムが更に、各々の侵害セルのチャンネルの時間の関数としての利用状況と、各受障害セルの障害事象の時間の関数としての件数との積を全ての侵害−受障害チャンネル対と侵害−受障害セルの組み合わせに対して、全時間に渡り合計するためのコンピュータに駐在する命令手段とを含む、前記プログラム製品。
【請求項１９】
請求項１８記載のプログラム製品において、前記合計するためのコンピュータに駐在する命令手段が更に、侵害セルの利用状況と受障害セルのチャンネル上での障害件数との積の全時間にわたる合計に比例する、ランダム整合発生の平均比率を定義するためのコンピュータに駐在する命令手段を含む、前記プログラム製品。
【請求項２０】
請求項１９記載のプログラム製品において、前記定義するためのコンピュータに駐在する命令手段が更に２つの量の平均比率を大量のデータに関して合計し、結果として２０よりも大きな値となるランダム整合の発生定数を生成するコンピュータに駐在する命令手段を含む、前記プログラム製品。
【請求項２１】
請求項２０記載のプログラム製品において、前記合計するためのコンピュータに駐在する命令手段が更に、任意の侵害−受障害セルの関係に対して、侵害セルの利用状況と受障害セルのチャンネル上での障害件数との積の全時間にわたる合計に比例する、ランダム整合発生の平均比率と、時間の関数としての各侵害セルのチャンネルの利用状況と時間の関数としての各受障害セルのチャンネル上での障害事象の件数を、全ての侵害−受障害チャンネル対と侵害−受障害セル組み合わせに対して、全時間に渡って合計した値とを乗算することによりランダム整合の平均件数を計算するためのコンピュータに駐在する命令手段を含む、前記プログラム製品。
【請求項２２】
請求項２１記載のプログラム製品において、前記計算するためのコンピュータに駐在する命令手段が更に、ランダム整合の平均件数とランダム整合の件数との間の差の確率を計算するためのコンピュータに駐在する命令手段を含む、前記プログラム製品。
【請求項２３】
請求項２２記載のプログラム製品において、前記計算するためのコンピュータに駐在する命令手段が更に、平均値からの差のパーセンテージをｘ軸に、そして累積分布関数のパーセンテージをｙ軸にプロットし、平均値からのパーセンテージ差の累積分布関数を生成するコンピュータに駐在する命令手段を含む、前記プログラム製品。
【請求項２４】
請求項１７記載のプログラム製品において、前記使用するためのコンピュータに駐在する命令手段が更に、パーセンテージ確信レベルを比較して、干渉関係が真であるか否かを判定する判定閾値を用いて、侵害セルを真の干渉セルと確定するコンピュータに駐在する命令手段を含む、前記プログラム製品。